(57)【要約】【課題】掌側に指を曲げて物を掴むような作業も容易に行なえ、使い勝手の良い作業用手袋を提供する。【解決手段】繊維製原手１の表面に樹脂の原料液を付着乾燥させて被膜が形成されている作業用手袋であって、前記繊維製原手１はメリヤス編みなどの編生地を裁断して手袋状に縫製されてなり、甲部を構成する編生地２の厚さおよび編密度は掌部を構成する編生地３の厚さおよび編密度に比べて細い糸を使用して厚さを薄くするとともに編密度を大きくし、繊維製原手１の表面に天然ゴムあるいは合成ゴムあるいは合成樹脂などの被膜材料を付着させて作られ、前記甲部を構成する編生地２の表面に付着される被膜４の厚さを前記掌部を構成する編生地３の表面に付着される被膜５の厚さよりも薄くした。【選択図】        図４
2004277950.tif 000002
【特許請求の範囲】
【請求項１】
繊維製原手の表面に樹脂の原料液を付着乾燥させて被膜が形成されている作業用手袋であって、前記繊維製原手はメリヤス編みなどの編生地を裁断して手袋状に縫製されてなり、甲部を構成する編生地の厚さおよび編密度は掌部を構成する編生地の厚さおよび編密度に比べて細い糸を使用して厚さを薄くするとともに編密度を大きくし、繊維製原手の表面に天然ゴムあるいは合成ゴムあるいは合成樹脂などの被膜材料を付着させて作られ、前記甲部を構成する編生地の表面に付着される被膜の厚さを前記掌部を構成する編生地の表面に付着される被膜の厚さよりも薄くしてなることを特徴とする作業用手袋。
【発明の詳細な説明】
【０００１】
【発明の属する技術分野】
本発明は漁業や農業などにおける種々の作業に適した作業用手袋に関するものである。
【０００２】
【従来の技術】
従来から繊維製の編手袋（以下原手と称す）の表面に樹脂のコーティング材を付着させて原手を補強した作業用手袋として、例えば特許文献１に開示されているものが知られている。この特許文献１に開示されている作業用手袋は原手の厚みが全体に亘って同じであり、またこの原手の表面に付着される樹脂のコーティング材により形成される被膜の厚みも全体に亘って同じであることから、全体厚みが薄い場合は作業性に問題はないが、全体厚みが厚くなると掌側に指を曲げて物を掴むような作業を行なうとき、甲側において固く伸びにくいので、作業が行ないにくいという問題があった。
【０００３】
【特許文献１】
特開平６−４９７０２号公報
【０００４】
【発明が解決しようとする課題】
本発明はこのような課題を解決するもので、掌側に指を曲げて物を掴むような作業も容易に行なえて、手が疲れず、使い勝手の良い作業用手袋を提供することを目的とするものである。
【０００５】
【課題を解決するための手段】
この課題を解決するために本発明は、繊維製原手の表面に樹脂の原料液を付着乾燥させて被膜が形成されている作業用手袋であって、前記繊維製原手はメリヤス編みなどの編生地を裁断して手袋状に縫製されてなり、甲部を構成する編生地の厚さおよび編密度は掌部を構成する編生地の厚さおよび編密度に比べて細い糸を使用して厚さを薄くするとともに編密度を大きくし、繊維製原手の表面に天然ゴムあるいは合成ゴムあるいは合成樹脂などの被膜材料を付着させて作られ、前記甲部を構成する編生地の表面に付着される被膜の厚さを前記掌部を構成する編生地の表面に付着される被膜の厚さよりも薄くしてなることを要旨とするものである。
【０００６】
この構成により、掌部側においては激しい作業に耐えられる強度を有するように厚くすることができ、また甲部側においては掌側に指を曲げて作業を行なうとき、曲げ易いように薄くすることができ、使い勝手が良く、長時間作業しても疲れにくい作業用手袋を提供することができる。
【０００７】
【発明の実施の形態】
以下、本発明の実施の形態について、図面に基づいて説明する。
先ず、図１〜図４に示す第１の実施の形態について説明すると、１は手の型に裁断された編密度ならびに厚さの異なる２枚の編生地２，３の周囲を縫製することによって作られた繊維製原手である。前記編生地２，３はともに綿糸あるいは合成繊維からなる糸あるいはこれらの混合糸を用いてメリヤス編みなどにより作られている。そして、甲部を構成する編生地２および掌部を構成する編生地３は、掌部を構成する編生地３よりも甲部を構成する編生地２に使用される糸の太さを細くして編生地３よりも編生地２の厚さを薄くするとともに編密度を大きくしている。これら編生地２，３の周囲を縫製し、裏返すことによって作られた繊維製原手１を手型に被せ、その表面に天然ゴムあるいは合成ゴムあるいは合成樹脂などの被膜材料を付着させ、乾燥させて被膜４および５を形成している。
【０００８】
具体的には、甲部を構成する編生地２の糸は綿１００％で、その糸の太さは綿番手６０、編密度は横４５／ｉｎｃｈ、縦４０／ｉｎｃｈであり、また掌部を構成する編生地３の糸も綿１００％で、その糸の太さは綿番手２０、編密度は横３２／ｉｎｃｈ、縦３０／ｉｎｃｈである。また、甲部を構成する編生地２の表面に付着される被膜４の厚さを１５５μｍとし、掌部を構成する編生地３の表面に付着される被膜５の厚さを１８６μｍとして、甲部を構成する編生地２の表面に付着される被膜４の厚さを掌部を構成する編生地３の表面に付着される被膜５の厚さよりも薄くしてある。
【０００９】
上記のように甲部を構成する編生地２の編密度を掌部を構成する編生地３の編密度よりも大きくして、つまり編目を小さく密にしてあることにより、繊維製原手１を手型に被せ、被膜材料液中に浸漬、引き上げて編生地２，３の表面に被膜材料を付着させた状態で乾燥させて被膜を形成するとき、または編生地２，３に被膜材料液を流しかけて付着させ、次に余分の被膜材料液を滴下した後乾燥させて被膜を形成するとき、細い糸が使用され編目が小さく編密度の大きくなっている表面がフラットな状態に近く凹凸の小さな編生地２に対しては被膜材料液が編目に浸入しにくく、編生地２の表面に対する被膜材料液の付着量は少なくなって、被膜４の厚さは薄くなる。一方、編生地２よりも太い糸が使用され編目が大きく編生地２の編密度よりも小さな編密度の編生地３の表面は粗く凹凸が大きく、その編生地３の表面に対して被膜材料液は浸入しやすくなり、編生地３の表面に対する被膜材料液の付着量は編生地２よりも多くなって、被膜５の厚さは厚くなる。
【００１０】
以上のように本実施の形態における作業用手袋は、掌部を構成する部分の厚みは作業に耐えうる強度を有するように厚くし、甲部を構成する部分の厚みは動きに支障を与えないように薄くした点に特徴を有するものである。
【００１１】
次に、図５〜図７に示す第２の実施の形態について説明すると、前記第１の実施の形態では繊維製原手１が手の型に裁断された編密度ならびに厚さの異なる２枚の編生地２，３の周囲を縫製することによって作られているが、この第２の実施の形態では甲部を構成する編生地２は親指覆い部を除く４本の指覆い部を含む範囲を形成し、掌部を構成する編生地３と同じ厚みの編生地で親指覆い部６全体を形成してある。この第２の実施の形態の繊維製原手１も前記第１の実施の形態と同様に縫製後、裏返されるのであり、この繊維製原手１の表面に被膜４，５を形成する手順は前記第１の実施の形態と同様であり、細い糸が使用され編目が小さく編密度の大きくなっている表面がフラットな状態に近い編生地２に対しては被膜材料液が編目に浸入しにくく、編生地２の表面に対する被膜材料液の付着量は少なくなって、被膜４の厚さは薄くなる。一方、編生地２よりも太い糸が使用され編目が大きく編生地２の編密度よりも小さな編密度の編生地３の表面に対する被膜材料液の付着量は編生地２よりも多くなって、被膜５の厚さは厚くなる。
【００１２】
以上２つの実施の形態について述べたが、本発明は上記の実施の形態に限定されるものではなく、使用される糸の太さや編密度などについては手袋の種類などに応じて適宜変更することができる。また、被膜４および５の厚さは被膜材料液の粘度や樹脂濃度により適宜変更することができる。
【００１３】
【発明の効果】
以上のように本発明の作業用手袋は、掌部側においては激しい作業に耐えられる強度を有するように厚くすることができ、また甲部側においては掌側に指を曲げて作業を行なうとき、曲げ易いように薄くすることができ、使い勝手が良く、長時間作業しても疲れにくい作業用手袋を提供することができる。
【図面の簡単な説明】
【図１】本発明の第１の実施の形態における作業用手袋の繊維製原手を甲側から見た斜視図である。
【図２】同作業用手袋の繊維製原手を掌側から見た斜視図である。
【図３】同作業用手袋の斜視図である。
【図４】同作業用手袋の要部拡大断面図である。
【図５】本発明の第２の実施の形態における作業用手袋の繊維製原手を甲側から見た斜視図である。
【図６】同作業用手袋の繊維製原手を掌側から見た斜視図である。
【図７】同作業用手袋の斜視図である。
【符号の説明】
１        繊維製原手
２，３    編生地
４，５    被膜
６        親指覆い部
【図１】
2004277950.tif 000003
【図２】
2004277950.tif 000004
【図３】
2004277950.tif 000005
【図４】
2004277950.tif 000006
【図５】
2004277950.tif 000007
【図６】
2004277950.tif 000008
【図７】
2004277950.tif 000009